(57)【特許請求の範囲】
【請求項１】
パラメータの設定に応じて動作するパラメータ設定対象装置に対してパラメータを設定する機能を有するパラメータ設定装置において、
パラメータを表示する表示部と、
複数のパラメータの設定値をパラメータ番号別に記憶する設定値記憶部と、
複数のパラメータの中から前記パラメータ設定対象装置の用途に合せて選択されたパラメータで構成されるパラメータ群のパラメータ番号を記憶するパラメータ番号記憶部と、
パラメータ設定部とを有し、
前記パラメータ設定部は、前記パラメータ設定対象装置の用途毎に予め用意されているパラメータ群の１つを選択するための第１用途値とユーザが複数のパラメータの中からパラメータを任意に選択するための第２用途値とを有し、前記第１用途値及び前記第２用途値のいずれか１つを選択することで前記パラメータ設定対象装置の用途を選択する選択手段を有し、前記選択手段により選択された前記第１用途値に基づくパラメータ群又は前記選択手段により選択された前記第２用途値に基づくパラメータの集合におけるパラメータ番号を連続番号に変更して前記表示部に表示することを特徴とするパラメータ設定装置。
【請求項２】
前記選択手段は、前記パラメータの変更をどの程度行うかを表すための変更頻度値を入力し、
この入力された変更頻度値の高い順に前記選択されたパラメータの集合又はパラメータ群におけるパラメータ番号が１から始まる連続番号に変更されることを特徴とする請求項１記載のパラメータ設定装置。
【発明の詳細な説明】
【０００１】
【発明の属する技術分野】
本発明は、パラメータ設定装置に関し、特に、装置を稼動する際、装置を設置する際などに、装置に搭載される各種機能をユーザ（使用者）の意図する動作または環境に合うようにするため各種機能のパラメータを設定する装置、例えばモータ制御用の汎用インバータやプログラマブルなシーケンサー等に対するパラメータ設定装置に関する。
【０００２】
【従来の技術】
例えば、モータ制御用のＶＶＶＦインバータにおいては、インバータ自身に装備された各種機能をパラメータにより設定することにより初めて負荷に見合った駆動動作を実現できる。しかし、このパラメータの設定は、装置が複雑になるにつれて多くのパラメータを設定する必要が出てくる。
【０００３】
さらに、パラメータは必要なものが規則正しく連番（連続番号）で並んでいるわけではなく、取り扱い説明書を読んで必要なパラメータを抽出し、それぞれ必要な機能を設定していかなければならない。
【０００４】
また、ユーザがこれら機能を選択し、本当に必要な機能を使い分けるには、その装置を十分に理解しなければならず、装置導入までには多くの時間と知識が必要になってくる。
【０００５】
そして、パラメータ設定を終了後は、インバータは運転可能となるが、状況の変化で、再度パラメータを変更する必要が出てきた場合、過去に設定したパラメータおよび、その番号を思い出し、操作しなおす必要がある。この場合、機能を示すパラメータ番号等を忘れてしまったり、異なったパラメータ番号を設定してしまう可能性もある。
【０００６】
近年、装置自体の機能向上に伴い、設定すべきパラメータは益々増える傾向にあり（例えば６００項目）、ユーザのパラメータ設定操作に関する負担を増大させる方向にある。
【０００７】
このようなユーザの負担を減らすことを目的に提案された技術として、例えば特開平１１−２７９４９号公報に開示されたものがある。この技術では、予め幾つかのパラメータ群が用意されており、外部スイッチ等により、このパラメータ群の何れかが選択できるようになっている。
【０００８】
【発明が解決しようとする課題】
しかしながら、この従来の技術を適用する場合でも、昨今の多機能化というニーズに応えていく必要がある。このため、あるパラメータ群が選択されたときに、そのパラメータ群に含まれるパラメータだけで種々の機能設定ができるよう、夫々のパラメータ群には十分な数のパラメータを含ませておくことが求められる。
【０００９】
このため、この従来技術により、外部スイッチ等でパラメータ群の一つが選択できるとしても、当該選択されたパラメータ群に含まれるパラメータは多数となり、これら夫々について値を設定する再に、ユーザに大きな負担が掛かる。
【００１０】
本発明は、上記に鑑みてなされたもので、その目的としては、汎用インバータ等、装置の用途に対応した本当に使用するパラメータのみを簡単に選択することができ、あるいは、ユーザの任意にパラメータを選択することができ、これらの認識も容易で設定値の確認、変更も簡単にでき、作業時間短縮と誤操作防止が可能なパラメータ設定装置を提供することにある。
【００１５】
【課題を解決するための手段】
請求項１記載の発明は、上記課題を解決するため、パラメータの設定に応じて動作するパラメータ設定対象装置に対してパラメータを設定する機能を有するパラメータ設定装置において、パラメータを表示する表示部と、複数のパラメータの設定値をパラメータ番号別に記憶する設定値記憶部と、複数のパラメータの中から前記パラメータ設定対象装置の用途に合せて選択されたパラメータで構成されるパラメータ群のパラメータ番号を記憶するパラメータ番号記憶部と、パラメータ設定部とを有し、前記パラメータ設定部は、前記パラメータ設定対象装置の用途毎に予め用意されているパラメータ群の１つを選択するための第１用途値とユーザが複数のパラメータの中からパラメータを任意に選択するための第２用途値とを有し、前記第１用途値及び前記第２用途値のいずれか１つを選択することで前記パラメータ設定対象装置の用途を選択する選択手段を有し、前記選択手段により選択された前記第１用途値に基づくパラメータ群又は前記選択手段により選択された前記第２用途値に基づくパラメータの集合におけるパラメータ番号を連続番号に変更して前記表示部に表示することを要旨とする。
【００１６】
請求項２記載の発明は、上記課題を解決するため、請求項１記載のパラメータ設定装置において、前記選択手段は、前記パラメータの変更をどの程度行うかを表すための変更頻度値を入力し、この入力された変更頻度値の高い順に前記選択されたパラメータの集合又はパラメータ群におけるパラメータ番号が１から始まる連続番号に変更されることを要旨とする。
【００１７】
【発明の実施の形態】
以下、本発明の実施の形態を図面を参照して説明する。
【００１８】
図１は、本発明の一実施の形態に係るパラメータ設定装置と接続例との全体構成を示す図である。
【００１９】
本実施の形態では、パラメータ設定装置１と、パラメータ設定装置１によりパラメータが設定されるパラメータ設定対象装置としてのファン２から構成されている。上述したパラメータ設定対象装置は、このファン２に限られるものではなく、図１に示すように、ポンプ３であったり、巻取装置４であったり、その他種々の装置、例えばエレベータであったり、搬送機であったりする。
【００２０】
パラメータ設定装置１は、ＣＰＵ（中央処理装置）６、ＲＯＭ（リードオンリーメモリ）７、ＲＡＭ（ランダムアクセスメモリー）８、ＥＥＰＲＯＭ（エレクトリカリーイレーサブルプログラマブルリードオンリーメモリ）９、操作パネル１１、入出力Ｉ／Ｆ（インターフェース）１２とで構成される。
【００２１】
このうち、操作パネル１１は、操作部１３と表示部１４とで構成され、外観は図２に示すように構成されており、インバータ１６の表面に装備されている。
【００２２】
この操作部１３は、インバータ１６を遅転・停止するＤＲＩＶＥキー１７のほか、図２に示す各キーを備えている。詳しくは、数字を入カするテンキー１８、小数点を入力する小数点キー１９、ＥＮＴＥＲ（実行・確定）キー２１、ステップキー２２，２３、パラメータ読み出し・書き込みを行うＰＲＯＧキー２４、表示切り替え又は入カの訂正をする表示切り替え／ＣＬＥＡＲキー２６およびＳＴＯＰキー２７の各キーを備えている。
【００２３】
また、表示部１４は、図２に示すセグメントモニタ２８と８つのランプを備えている。これらは何れもＬＥＤからなり、セグメントモニタ２８は、操作状態およびパラメータ番号、その設定値、インバータ１６の状態等を表示する。また、８つのランプとは、Ｃｔｒｌ、ＭＰａ、Ｖ、％、ｒｐｍ、Ａ、Ｈｚの各表示が付されたランプ、及び運転モード表示ランプ２９をいう。以下、これらランプを引用する必要があるときは、例えばＣｔｒｌの表示が付されたランプをＣｔｒｌランプというように、各ランプをそれに付されている表示で称することとする。
【００２４】
ＲＯＭ７には、プログラム、及び、図６に示す基本パラメータテーブル３１、図７（Ｂ）あるいは図８（Ｂ）に例示した各パラメータ群パラメータ番号テーブル３２，３３が格納されている。このうち、プログラムはＣＰＵ６によって実行されるもので、このＣＰＵ６により、図３、図４に示した各処理及びその他の必要な処理が行なわれる。また、基本パラメータテーブル３１は、各インバータに用意されている各パラメータの初期設定値を表わすもので、後述するパラメータ群の選択や、ユーザによる任意のパラメータ選択の際に参照される。また、各パラメータ群パラメータ番号テーブル３２，３３は、図７（Ｂ）あるいは図８（Ｂ）にも例示したように、各パラメータ群を構成するパラメータの番号を表わすものである。
【００２５】
また、ＲＡＭ８には、図７（Ｃ）あるいは図８（Ｃ）に例示した、採番後（連番付与後）のパラメータ群３４，３６、あるいはユーザが任意で選択したパラメータの集まりであるパラメータの集合（図示しない）が格納される。
【００２６】
これら各パラメータ群３４，３６あるいはパラメータの集合は、パラメータ設定装置１の電源遮断時に実行される図４に示すサブルーチンのステップＳ１１でＥＥＰＲＯＭ９にセーブされ、さらに、パラメータ設定装置１の電源投入時に実行される図５に示すサブルーチンのステップＳ２１でＥＥＰＲＯＭ９からＲＡＭ８に転送される。
【００２７】
図１に示す構成の説明に戻り、ファン２は、それを回転させるモータ３７と、このモータに電力供給するインバータ１６と、このインバータ１６を制御するファン制御部３８とを備えている。インバータ１６にはモータ制御用のＶＶＶＦインバータが使用されている。なお、ポンプ３、巻取装置４等が接続される場合もその構成は同様になる。
【００２８】
パラメータ設定装置１の入出力Ｉ／Ｆ１２は、通信線３９を介してファン制御部３８と接続されている。パラメータ設定装置１で設定されたパラメータ群３４，３６あるいはパラメータの集合は、この通信線３９を介してファン制御部３８に供給される。
【００２９】
次に、図３に示すフローチャートを参照して、パラメータ設定装置１の動作を説明する。なお、本実施の形態では、パラメータ設定装置１に対する命令も、パラメータ番号と同じ形式で入力するものとする。ここでは、具体的に表１に示す命令が用意されているものとする。
【００３０】
【表１】
0003979126.tif 000002
図３に示すサブルーチンは、このうちの、パラメータ番号９００及び用途値の入力で起動される。パラメータ番号と用途値は、ＰＲＯＧキー２４を押し、次いでテンキー１８で９００と入力してＥＮＴＥＲキー２１を押し、そのあとテンキー１８で用途値（０〜３）を入力しＥＮＴＥＲキー２１を押すことで入力される。なお、パラメータ番号等を間違って入力したときは、表示切り替え／ＣＬＥＡＲキー２６を押して入力し直す（以下の各入力場面でも同じ）。
【００３１】
ここで用途値とは、インバータの用途を示すもので、ここでは、表２のように定義されているものとする。
【００３２】
【表２】
0003979126.tif 000003
インバータ１６が例えば工場から出荷された状態では、各種パラメータは図６に示す基本パラメータテーブル３１に示される初期設定値で初期化されている。この状態から、インバータを用途に適合した動作状態とするために、使用用途を選択して、予め用意されているパラメータ群の一つを選ぶか、用途に対応した所要のパラメータをユーザが直接選択する。
【００３３】
ユーザがパラメータの機能内容を理解しきれていない状況、あるいはパラメータ選択を簡易に済ませたい場合は、用途別に予め用意されているパラメータ群を利用する。ここでは、インバータ１６はファンのモータ３７の駆動に使われているので、パラメータ番号「９００」の後に、上記した用途値のうちの「１」を入力する。
【００３４】
これにより、処理は、ステップＳ３１→ステップＳ３７→ステップＳ３９と進む。そして、このステップＳ３９で、図７（Ｂ）に例示されているようなファン用パラメータ群パラメータ番号テーブル３２が参照され、このテーブルに示される各パラメータの夫々の初期設定値が図６の基本パラメータテーブル３１から読み出され、ファン用パラメータ群としてＲＡＭ８に格納される。
【００３５】
なお、この実施の形態例では、設定対象装置がファン２なので、用途値として「１（ファン用）」を入力した。図１に想像線（２点鎖線）で示したように、もし設定対象装置としてポンプ３が接続されていたときは、上記パラメータ番号９００の後に入力される用途値は「２（ポンプ用）」となる。
【００３６】
この場合、図３での処理も、ステップＳ３１→ステップＳ３７からステップＳ４３へと進み、このステップＳ４３で、不図示ポンプ用パラメータ群パラメータ番号テーブルが参照され、このテーブルに示される各パラメータの夫々の初期設定値が図６の基本パラメータテーブル３１から読み出され、ポンプ用パラメータ群としてＲＡＭ８に格納される。
【００３７】
また、図１に想像線で示したように、仮に設定対象装置として巻取装置４が接続されていたときは、上記パラメータ番号９００の後に入力される用途値は「３（巻取装置用）」となる。この場合、図３に示す処理も、ステップＳ３１→ステップＳ３７からステップＳ４４へと進み、このステップＳ４４で、図８（Ｂ）巻取装置用パラメータ群パラメータ番号テーブル３３が参照され、このテーブルに示される各パラメータの夫々の初期値が図６に示す基本パラメータテーブル３１から読み出され、巻取装置用パラメータ群としてＲＡＭ８に格納される。
【００３８】
次いで、ステップＳ４０に進み、変更頻度値の入力を行なう。また必要なら初期設定値の変更を行なう。変更頻度値とは、当該パラメータの変更をどの程度行なうかを表わすもので、ここでは表３のように定義されているものとする。
【００３９】
【表３】
0003979126.tif 000004
変更頻度値は、ファン用パラメータ群に含まれる各パラメータの番号とその初期値とが、セグメントモニタ２８に順に表示されるので、そのあとに入力する。具体的には、最初、ファン用パラメータ群の先頭のパラメータ「運転指令選択」について、そのパラメータ番号「００１」がセグメントモニタ２８に表示される。
【００４０】
そこで、ステップキー２３を押すと、このパラメータ「運転指令選択」の初期設定値「１」がセグメントモニタ２８に表示される。ここで、もしこの初期設定値を変更したい場合、ここで変更したい値を、テンキー１８、ＥＮＴＥＲキー２１を使って入力する。
【００４１】
この変更が終了した後、あるいは変更をしない場合は元の設定値が表示されている状態で、もう一度ステップキー２３を押す。このステップキー２３を押した後は、このときのパラメータ「運転指令選択」について変更頻度値を入力する状態になる。そこで、テンキー１８、ＥＮＴＥＲキー２１を使って変更頻度値を入力する。
【００４２】
入力された変更頻度値はＲＡＭ８に格納される。次いで、次のパラメータ「１速周波数設定選択」のパラメータ番号「００２」がセグメントモニタ２８に表示される。そこで前述したのと同様、ステップキー２３を押してこの「１速周波数設定選択」の初期設定値「１」を表示させ、必要があればこの設定値を変更した上で、もう１度ステップキー２３を押す。これで、この２番目のパラメータ「１速周波数設定選択」について変更頻度値を入力する状態になる。そこで、テンキー１８、ＥＮＴＥＲキー２１を使って変更頻度値を入力する。以下、同様のキー操作で５番目の「キャリア周波数」までの各パラメータについて、変更頻度値の入力と、必要なら設定値の変更を行なう。
【００４３】
これが終ると処理はステップＳ４１に移る。ここで、ＲＡＭ８に蓄積されているパラメータの集合に対して、変更頻度の高いものを先とする並べ替えが行なわれ、並べ替え後の各パラメータに１から始まる連続の新たなパラメータ番号が付される。このようにして生成された「採番後のファン用パラメータ群３４」を図７（Ｃ）に示す。なお、変更頻度値が同じ場合は、例えば先に蓄積されたものが先頭側にされる。また、設定対象装置が図３に例示した巻取装置４であったとき、同様にして生成される採番後の巻取装置用パラメータ群の例を図８（Ｃ）に示す。
【００４４】
以上の処理が終ると、処理はステップＳ４２に移る。ここでは、採番後のファン用パラメータ群３４が対象装置の制御部、すなわち、ファン制御部３８に送信される。この場合、送信されるのは、採番後のパラメータ番号に対応してＲＡＭ８に格納されている基本パラメータ番号（基本パラメータテーブル３１におけるパラメータ番号）とその設定値である。ファン制御部３８は、送信されて来たこのファン用パラメータ群３４の各パラメータに基づいて、インバータ１６の動作を制御する。
【００４５】
ユーザがパラメータを直接選択する場合は、上記パラメータ番号９００の後、用途値として「０」を入力する。これで、ステップＳ３１→ステップＳ３７→ステップＳ３８へと処理が進められる。ここで、必要とされるパラメータ番号を入力すると、この番号が取り込まれ、セグメントモニタ２８に表示される。この取り込みにより、処理はステップＳ３１に戻る。
【００４６】
このステップＳ３１で、このとき入力されたパラメータ番号が検査されるが、このパラメータ番号は、いわば本来のパラメータ番号であって、上記命令に使用するパラメータ番号９００あるいは９０１ではない。
【００４７】
従って、処理はステップＳ３４に進み、このとき入力されたパラメータ番号の初期設定値が図６の基本パラメータテーブル３１から読み出される。この初期設定値はステップキー２３を１回押すと表示される。従って、もしこの初期設定値を変更したい場合、ここでその変更したい値を、テンキー１８、ＥＮＴＥＲキー２１を使って入力する。
【００４８】
この変更が終了したら、あるいは変更をしない場合は元の設定値が表示されている状態で、もう一度ステップキー２３を押す。このステップキー２３を押した後は、このときのパラメータについて変更頻度値を入力する状態になる。そこで、テンキー１８、ＥＮＴＥＲキー２１を使って変更頻度値を入力する。
【００４９】
この変更頻度値が入力されると、処理はステップＳ３５に進み、このとき入力されたパラメータ番号、設定値、変更頻度値がＲＡＭ８に蓄積される。このあとステップＳ３６に進む。そこで、次のパラメータ番号を入力する。このパラメータ番号入力に対し、また、ステップＳ３１、ステップＳ３４、ステップＳ３５の各処理が実行される。以後、パラメータ番号の入力ごとにこの処理が実行され、夫々のパラメータ番号、夫々の設定値、夫々の変更頻度値がＲＡＭ８に蓄積される。
【００５０】
以上のようにしてユーザによる任意のパラメータ選択が終ったら、ＰＲＯＧキー２４を押し、テンキー１８で９０１を入力する。この番号は、上述したとおり設定完了を意味するもので、この入力に応動して、処理はステップＳ３１からステップＳ３２に進む。そして、ここでＲＡＭ８に蓄積されているパラメータの集合に対して、変更頻度の高いものを先とする並べ替えが行なわれ、並べ替え後の各パラメータに１から始まる連続の新たなパラメータ番号が付される。
【００５１】
以上説明した操作により、ＲＡＭ８にはパラメータ群３４，３６あるいはパラメータの集合が格納される。これらの各パラメータの設定値等を確認する、あるいは変更したい場合は、ＰＲＯＧキー２４を押し、次いでパラメータ番号、例えば１を入力し、ＥＮＴＥＲキー２１を押す。これで、セグメントモニタ２８には、当該パラメータ番号が表示される。そこで、ステップキー２３を押す。これにより、このパラメータ番号１の設定値が表示される。このとき、現在表示されている設定値がどういうパラメータかをユーザに報知するため、表４のとおり、ＬＥＤランプの点灯、点滅が行なわれる。
【００５２】
【表４】
0003979126.tif 000005
そして、もしここで設定値を変更したければ、テンキー１８を使って新しい設定値を入力する。それからＥＮＴＥＲキー２１を押す。これで新しい設定値がＲＡＭ８に格納される。そしてもう一度ステップキー２３を押すと、このときのパラメータの変更頻度値がセグメントモニタ２８に表示される。この変更頻度値についても、もし変更したければ、上記と同様の操作をして新しい値を入力する。これで新しい値がＲＡＭ８に格納される。さらに、もう一度ステップキー２３を押すと、この１番のパラメータの基本パラメータ番号（図６の基本パラメータテーブル３１に格納されていたときのパラメータ番号）が表示される。さらに、ステップキー２３を押すと、２番目のパラメータの番号が表示される。そこで、ステップキー２３の押下を繰り返し、各パラメータの設定値等を確認し、必要なら変更する。
【００５３】
なお、特定のパラメータの設定値等を確認あるいは変更したいときは、ＰＲＯＧキー２４を押し、当該パラメータの番号、例えば「５」を入力し、ＥＮＴＥＲキー２１を押す。これでセグメントモニタ２８には、パラメータ番号５が表示され、ステップキー２３を押せば、設定値等が順に表示される。
【００５４】
ただし、このように設定値や変更頻度値を変更したときは、最後に、ＰＲＯＧキー２４を押し、パラメータ番号９０１を入力し、ＥＮＴＥＲキー２１を押す。これにより、このとき設定値が変更されていた場合は、その新しい設定値がファン制御部３８に送信され、また、変更頻度値が変更されていれば、パラメータの並び替えが行なわれる。
【００５５】
以上説明したように、用途選択による自動的なパラメータの抽出、もしくはユーザによるパラメータの設定いずれの方法であっても、最終的には必要最小限のパラメータについて採番がされ、以後の確認、変更でもユーザによるパラメータの認識や操作が容易となる。
【００５６】
図９に採番後の各用途毎のパラメータ内容を一覧で示す。図６の基本パラメータテーブル３１では、それぞれのパラメータがそれぞれ独立した番号を持っていた。しかし、採番後は、特定用途用、あるいは各ユーザ用とも、その機能内容が異なっていても、パラメータ番号は同じように１から始まる最小限の連番となる。従って、以後の操作は、膨大な基本パラメータを意識せず、この採番後の少ないパラメー夕だけに着目してこれらを管理していけば良いことになる。
【００５７】
また、途中で用途が変更される場合でも、用途別のパラメータ群を装備しているため、用途値のみを変更することで、再度必要なパラメータを採番し直すことが可能である。
【００５８】
なお、本発明は、上記実施の形態例に限定されるものではなく、例えば次のような変形が可能である。
【００５９】
（１）インバータのパラメータ設定に限らず、シーケンサやパソコン等のパラメータ設定にも適用できる。
【００６０】
（２）パラメータ設定装置１は、パラメータ設定対象装置（例えば汎用インバータ）に直接装備する必要はなく、通信機能等を利用して、遠隔から操作設定するようにしても良い。この場合、１台のパラメータ設定装置１に、複数台の設定対象装置、例えばポンプとファンと巻取装置とを接続し、それらのパラメータを個別に操作設定するようにしても良い。
【００６１】
（３）パラメータを識別するものは、番号（数字）とは限らず、Ａ，Ｂ，Ｃ・・・等の記号またはそれに類似した表現であっても構わない。
【００７０】
【発明の効果】
請求項１記載の本発明によれば、パラメータ設定対象装置の用途に合うように複数のパラメータの中から選択されたパラメータで構成されるパラメータ群が予め用意されており、パラメータ設定対象装置の用途毎に予め用意されているパラメータ群の１つを選択するための第１用途値とユーザが複数のパラメータの中からパラメータを任意に選択するための第２用途値とを有する選択手段によって第１用途値を選択することでパラメータ設定対象装置の用途が選択されると、この用途に対応したパラメータ群が取り出され、それに含まれるパラメータのパラメータ番号が連続番号に変更されて表示部に表示される。あるいは、用途毎に予め用意されているパラメータ群（第１用途値に対応）では対応できないユーザのために、第２用途値を選択することで、パラメータ設定対象装置の用途に合うように複数のパラメータの中から所要のパラメータがユーザの任意に選択され、即ち、ユーザ自身が別途、任意のパラメータの集合を構成でき、これらパラメータのパラメータ番号が連続番号に変更されて表示部に表示される。
【００７１】
この結果、パラメータ設定対象装置の各パラメータについて理解が十分でない場合でも、これだけはすぐ明らかになる設定対象装置の用途をキーにすることで、パラメータ設定対象装置の動作上必要なパラメータが簡単に準備でき、装置導入までの時間の短縮が可能になる。また、選択されたパラメータに元のパラメータ番号とは異なる単純な一連番号が付されることで、これらパラメータ又はユーザが任意に選択したパラメータについてもその認識が容易になり、現在の設定値の確認や変更といった作業が簡単になる。それ故、作業性が向上し、パラメータの誤設定が防止される。
【００７２】
請求項２記載の本発明によれば、選択手段は、パラメータの変更をどの程度行うかを表すための変更頻度値を入力し、この入力された変更頻度値の高い順に、請求項１にいう選択されたパラメータの集合又はパラメータ群におけるパラメータ番号が１から始まる請求項１にいう連続番号に変更される。
【００７３】
この結果、上記請求項１の効果にいうパラメータの認識が一層容易になり、現在の設定値の確認や変更といった作業が一層簡単になる。それ故、作業性も一層向上し、パラメータの誤設定等も更に防止される。
【図面の簡単な説明】
【図１】本発明の一実施の形態例であるパラメータ設定装置１とファン２から成るシステムを示す図である。
【図２】図１のパラメータ設定装置１の操作パネル１１の詳細を示す図である。
【図３】図１のパラメータ設定装置１で実行される処理の内容を示すフローチャート。
【図４】図１のパラメータ設定装置１の電源遮断時に実行されるサブルーチンを示すフローチャート。
【図５】図１のパラメータ設定装置１の電源投入時に実行されるサブルーチンを示すフローチャート。
【図６】基本パラメータテーブル３１の内容を示す図。
【図７】ファン用パラメータ群のパラメータ抽出過程を示す図で、（Ａ）は基本パラメータテーブル３１の内容、（Ｂ）はファン用パラメータ群パラメータ番号テーブル３２の内容、（Ｃ）は採番後のファン用パラメータ群の内容を示す。
【図８】巻取装置用パラメータ群のパラメータ抽出過程を示す図で、（Ａ）は基本パラメータテーブル３１の内容、（Ｂ）は巻取装置用パラメータ群パラメータ番号テーブル３３の内容、（Ｃ）は採番後の巻取装置用パラメータ群の内容を示す。
【図９】採番後の各用途毎のパラメータの機能内容を示す図。
【符号の説明】
１  パラメータ設定装置
２  ファン
３  ポンプ
４  巻取装置
６  ＣＰＵ
７  ＲＯＭ
８  ＲＡＭ
９  ＥＥＰＲＯＭ
１１  操作パネル
１２  入出力Ｉ／Ｆ
１３  操作部
１４  表示部
１６  インバータ
１７  ＤＲＩＶＥキー
１８  テンキー
１９  小数点キー
２１  ＥＮＴＥＲキー
２２  上側ステップキー
２３  下側ステップキー
２４  ＰＲＯＧキー
２６  表示切り替え／ＣＬＥＡＲキー
２７  ＳＴＯＰキー
２８  セグメントモニタ
２９  運転モード表示ランプ
３１  基本パラメータテーブル
３２  ファン用パラメータ群パラメータ番号テーブル
３３  巻取装置用パラメータ群パラメータ番号テーブル
３４  採番後のファン用パラメータ群
３６  採番後の巻取装置用パラメータ群（図８）
３７  ファンのモータ
３８  ファン制御部
３９  通信線
【図１】
0003979126.tif 000006
【図２】
0003979126.tif 000007
【図３】
0003979126.tif 000008
【図４】
0003979126.tif 000009
【図５】
0003979126.tif 000010
【図６】
0003979126.tif 000011
【図７】
0003979126.tif 000012
【図８】
0003979126.tif 000013
【図９】
0003979126.tif 000014